(57)【要約】      （修正有）【課題】旗類の出し入れが作動ミスなく円滑かつ確実に行えるとともに旗類自体が長期使用による損傷を受けにくくした片持式旗類掲納装置を提供する。【解決手段】取付ブラケット３の前側に水平あるいは斜め持ち上げ状をなして突設されるとともにその周部底面に進退用開通口が形成される筒状のケーシング１０と、このケーシング内の基部側と先端側に設けられた駆動ホイール２２と従動ホイール２３の２つのホイールと、両ホイール回りに掛け回されその下回りが前後に進退可能とされた周回駆動材２５と、ケーシング内において周回駆動材の下回りに添う形で設けられたガイドバー２７と、上端基部のケーシング先側に相当する部位が先行側連結具を介して周回駆動材に連結され上端基部のケーシング基部側に相当する部位が後行側連結具を介してガイドバーに沿って進退自在とされるべく掛装されて垂下された旗類３０と、駆動ホイールを一定のストロークをもって往復回転可能とする回転駆動手段２０と、を含む。【選択図】図３
0003220838.tif 000002
【実用新案登録請求の範囲】
【請求項１】
取付対象個所に固定される取付ブラケットと、この取付ブラケットの前側に水平あるいは斜め持ち上げ状をなして突設されるとともにその周部底面に進退用開通口が形成されている筒状のケーシングと、このケーシング内の基部側と先端側に設けられた駆動ホイールと従動ホイールの２つのホイールと、両ホイール回りに掛け回されその下回りが前後に進退可能とされた周回駆動材と、ケーシング内において前記周回駆動材の下回りに添う形で設けられたガイドバーと、上端基部のケーシング先側に相当する部位が先行側連結具を介して前記周回駆動材に連結され上端基部のケーシング基部側に相当する部位が後行側連結具を介して前記ガイドバーに沿って進退自在とされるべく掛装されて垂下された旗類と、前記駆動ホイールを一定のストロークをもって往復回転可能とする回転駆動手段と、取付対象個所の前面に固定されて取付ブラケットとケーシング基部と該ケーシング基部側に波状に折り畳まれて戻される旗類とを同時に外包し得る基部カバーとからなる片持式旗類掲納装置。
【請求項２】
請求項１に記載のものにおいて、ケーシングは水平姿勢と斜め持ち上げ姿勢とに角度変更自在となっている片持式旗類掲納装置。
【考案の詳細な説明】
【技術分野】
【０００１】  本考案は、片持式旗類掲納装置に関する。
【背景技術】
【０００２】  例えば、市街地ビルの前面壁などには、取付ブラケットを介して斜め上向きに支持アームを片持式に突設し、その支持アームから紐などを介して国旗・イベント表示などの標章をあらわした旗類を吊下げバナー（垂れ幕）などとしてぶら下げ標示して市街地環境を美的に保つようにしているところがある。こうした場合の旗類は支持アームに昼夜を問わず常にぶら下げられたままの形とされるのが恒例とされてきたため雨風・外気温度などの自然現象を直接受けることになって早期に傷むことから早目の交換が必要となっていた。そのことから旗類の自然現象による経時的損傷等をなくすため、特許公報１に示すように旗類を掲揚時以外においてケーシング内に巻取り収納可能にして安全保護し得るようにしたものがある。
【先行技術文献】
【特許文献】
【０００３】
【特許文献１】米国特許第４３３２２１０号
【考案の概要】
【考案が解決しようとする課題】
【０００４】  特許公報１に示すものは、自動的に旗の巻き上げと巻き出しを行う装置であって、外周にらせん状部を備えたローラーをケーシング内に正逆駆動可能に備えるとともに、基端をケーシング内に取り付けた旗をローラー周りを経由してケーシングの開口より下向きに取出すようにし、その内部ローラーを一方向に駆動すればケーシング内に巻き上げられていた旗が巻き出され、他方向に駆動すれば垂れ下がった状態の旗をローラー外周のらせん状部が摩擦力でもって回転駆動してケーシング内の空間に巻き上げ収納するようになって保護が図られるようになっているものである。
ところで、この自動装置は、ローラー外周のらせん状部による旗への押圧摩擦力によって往復駆動させることでケーシングに対しローラー回りでなくケーシング内に繰り入れしまたケーシング外に繰り出すように構成してあるので、ローラー（らせん状部）は旗に対して押圧摩擦力を多数回繰り返すことになる結果ローラー表面および駆動される旗自身が損耗して旗が滑ったり、繰り入れ・繰り出しが円滑かつ確実になされなくなるおそれがある。さらに、ローラーがらせん状部付きで特別な構成である他に、それを包むケーシング２３が曲げ舌状部分や肩部２７およびスロット４１等を内周に一体形成した特殊構造のものにしなければならず、構造が複雑であることからコスト高になるなど製造面での問題もある。【０００５】  本考案は、こうした問題を解決しようとするものであり、旗類の出し入れが作動ミスなく円滑かつ確実に行えるとともに旗類自体が長期使用による損傷を受けにくくさらに全体構造が簡略化して安価に提供できるようにした片持式旗類掲納装置を提供することを目的とする。
【課題を解決するための手段】
【０００６】  本考案は上記目的を達成するため、請求項１に記載の考案は、取付対象個所に固定される取付ブラケットと、この取付ブラケットの前側に水平あるいは斜め持ち上げ状をなして突設されるとともにその周部底面に進退用開通口が形成されている筒状のケーシングと、このケーシング内の基部側と先端側に設けられた駆動ホイールと従動ホイールの２つのホイールと、両ホイール回りに掛け回されその下回りが前後に進退可能とされた周回駆動材と、ケーシング内において前記周回駆動材の下回りに添う形で設けられたガイドバーと、上端基部のケーシング先側に相当する部位が先行側連結具を介して前記周回駆動材に連結され上端基部のケーシング基部側に相当する部位が後行側連結具を介して前記ガイドバーに沿って進退自在とされるべく掛装されて垂下された旗類と、前記駆動ホイールを一定のストロークをもって往復回転可能とする回転駆動手段と、取付対象個所の前面に固定されて取付ブラケットとケーシング基部と該ケーシング基部側に波状に折り畳まれて戻される旗類とを同時に外包し得る基部カバーとからなる。
旗類とは国旗・校旗・団体標章旗・店舗標章旗・イベント標章旗など表示内容を問わず広くその対象とし、また旗類の生地も薄く巻入れや繰出しの可能な布や樹脂など薄地材であってその形態も矩形に限定されず三角形などでもよい。
請求項２に記載の考案は、請求項１に記載のものにおいて、ケーシングは水平姿勢と斜め持ち上げ姿勢とに角度変更自在となっている。
【考案の効果】
【０００７】  上述したように請求項１に記載の考案は、取付対象個所に固定される取付ブラケットと、この取付ブラケットの前側に水平あるいは斜め持ち上げ状をなして突設されるとともにその周部底面に進退用開通口が形成されている筒状のケーシングと、このケーシング内の基部側と先端側に設けられた駆動ホイールと従動ホイールの２つのホイールと、両ホイール回りに掛け回されその下回りが前後に進退可能とされた周回駆動材と、ケーシング内において前記周回駆動材の下回りに添う形で設けられたガイドバーと、上端基部のケーシング先側に相当する部位が先行側連結具を介して前記周回駆動材に連結され上端基部のケーシング基部側に相当する部位が後行側連結具を介して前記ガイドバーに沿って進退自在とされるべく掛装されて垂下された旗類と、前記駆動ホイールを一定のストロークをもって往復回転可能とする回転駆動手段と、取付対象個所の前面に固定されて取付ブラケットとケーシング基部と該ケーシング基部側に波状に折り畳まれて戻される旗類とを同時に外包し得る基部カバーとからなので、旗類の出し入れが作動ミスなく円滑かつ確実に行えるとともに旗類自体が長期使用による損傷を受けにくくさらに全体構造が簡略化して安価に提供できるようにした片持式旗類掲納装置を提供することができる。
【図面の簡単な説明】
【０００８】
【図１】  本考案の一実施形態である片持式旗類掲納装置を図２のＩ−Ｉ線に沿うものとして示す水平姿勢時の側断面図。
【図２】  図１のＩＩ−ＩＩ線に沿う断面図。
【図３】  図１の掲納装置の持ち上げ時の状態を示す側断面図。
【図４】  図１の拡大詳細図。
【図５】  図４のＶ−Ｖ線断面図。
【図６】  図３の拡大詳細図。
【図７】  角度調節手段の他の実施形態を示す側断面図。
【考案を実施するための形態】
【０００９】  以下、本考案である片持式旗類掲納装置の一実施形態を図１ないし図６に基づいて説明する。
これらの図において、１は取付対象個所である外壁で、その高いところには、止着具２を介して取付ブラケット３が固定されている。この取付ブラケット３は、矩形をした基板５と、同基板５の一側寄りから縦板状に突設された固定受板６とを備える。固定受板６の下部基部側には外壁１の表面と平行な水平軸状をなす支持軸７が設けられ、この支持軸７を介して角度調節板８が平行板状に支持されている。角度調節板８の一側には逆Ｕ字形をしたケーシング１０が取り付けられている。ケーシング１０は薄いＳＵＳやアルミ合金その他樹脂などでなる。
【００１０】  前記固定受板６の一定半径上には、ケーシング１０を０度用にロックするための孔ａと１５度用の孔ｂ、および３０度用の孔ｃの３個の孔が配列されている一方、それに対面する角度調節板８にはこれらの孔ａ、ｂ、ｃを選んで挿脱できるロックピン１１がピン孔を通じて設けられている。ロックピン１１はリングを備えこのリングを引くと内蔵バネに抗して孔ａ、ｂ、ｃから抜けまたケーシング１０を適宜角度にしてロックピン１１を選択した孔ａ、ｂ、ｃに戻し入れることで角度調節板８を０度、１５度、あるいは３０度持ち上がりの角度に設定することができる。その調節は、例えば、外壁１の図２の個所に設けた窓ガラス１４を開けて操作できるようにする。
【００１１】  ケーシング１０は１．５ｍ程度の長さで底面に進退用開通口１５が開けられた逆Ｕ字型チャンネル材とされ、その前後端には、基端板１６と先端板１７とが設けられているとともに、基部一側には減速機付きモーターであるカバー１９付き回転駆動手段２０が取り付けられてその駆動軸２１が図５のようにケーシング１０内へと突設されている。この駆動軸２１の端部にはスプロケットである駆動ホイール２２が取り付けられる一方、ケーシング１０の先端側には従動ホイール２３が設けられ、これら両ホイール２２，２３間にはプレート型あるいはリンクチェーンやベルトチェーンなどによる周回駆動材２５が掛け回されている。
【００１２】  ケーシング１０内の周回駆動材２５の下回りに平行になるように滑りの良い樹脂製などのガイドバー２７が設けられ、このガイドバー２７は前記下回りに対し上下に少し離して設けられている。
【００１３】  ３０は旗類でここでは国旗（日の丸）が旗類として選ばれている。この旗類３０は薄くしなやかな国旗としての素材が選ばれ、その上端基部のケーシング１０先側に相当する部位が先行側連結具３１を介して前記周回駆動材２５に連結されるとともに、上端基部のケーシング１０基部側に相当する部位が後行側連結具３２を介して前記ガイドバー２７に沿って進退自在とされるべく掛装されて垂下されている。旗類３０の上端前後間も後行側連結具３２をガイドバー２７に掛装して垂下されている。
ケーシング１０の左右下端には、旗類３０が損傷しないように丸パイプ（あるいは軸）３４が取り付けられており、この丸パイプ３４には、エアー噴出口を複数開けておいて掲揚時に旗類３０が靡くようにしてもよい。
【００１４】  ３６は基部カバーで、正面からみてＴ字形をなし側面からみて縦長矩形ケース状をなすもので、前後に貫通型をなし、具体的には、基部カバー３６は、基部にフランジ３７を備えてそれが止着具３８を介して外壁１側に固定されるようになっており、取付ブラケット３とケーシング１０基部と該ケーシング１０基部側に波状に折り畳まれて戻される旗類３０とを同時に外包し得るカバーとされている。尚、３９は金球で脱着自在に取り付けられている。
【００１５】  図１、図２および図４、図５はケーシング１０を水平に突き出した姿勢とした際の装置の様子を示す。このとき、ロックピン１１は最も下側の孔ａに入れられて角度調節板８は水平状にされ、それとともにケーシング１０・周回駆動材２５などが水平向きとされている。回転駆動手段２０が一方向に回転駆動されて図のようにケーシング１０の先側に旗類３０が水平状に吊り掛けられた状態とされる。それは図示しないリミットスイッチによりなされる。夕刻あるいは雨天になったとき、回転駆動手段２０が逆方向に駆動されることで、周回駆動材２５がその下回りを外壁１の方向へと駆動され、これにより、周回駆動材２５は先行側連結具３１を同方向に引き戻すようにすることから旗類３０は波状に折り畳まれながら装置の基部側へと戻されることになる。これにより、旗類３０はカバー１９内に納まった状態になる。
【００１６】  図３および図６はケーシング１０が１５度に持ち上げられた状態を示す。図１から図３の状態にするには、建物の２階あるいは３階に設けた窓ガラス１４（図２）を開けてさらにカバー１９の上面を開けてロックピン１１を引いてケーシング２０を持ち上げ次の孔ｂにロックピン１１を差し込むことによりなされる。建物側からの調節でなくハシゴやリフト車両などを使っての作業によっても可能である。図３および図６は装置を１５度上向きに斜め持ち上げて設定した際の様子を示す。
【００１７】  図７は他の実施形態を示す。この実施形態ではケーシング１０が水平に対して１５度持ち上がった姿勢にロックされている。
前記実施形態では回転駆動手段（モーター）２０の回転軸と同軸状をなす支持軸７を中心にして角度調節板８が回転調節されるようになっていたが、この実施形態では、固定受板６の回転駆動手段２０の回転軸よりも６０ｍｍ程度上方位置に支持軸４１を設定して角度調節板８をその軸回りに回転調節可能とするとともに、固定受板６には、支持軸４１を中心にした一定半径上に１５度用の孔ｂと２５度用の孔ｃの２種類の孔を開けておき、一方角度調節板８の方には図７ではケーシング１０が１５度持ち上がったときに孔ｂに合致する孔を形成しておいてその孔に進退自在なロックピン４３を出し入れ可能に挿し込んである。
【００１８】  図７ではロックピン４３は固定受板６の下側の孔ｂに挿し込まれており、上側の孔ｃには差し込まれていない。ケーシング１０が２５度に持ち上げられたときには、角度調節板８も１５度のときよりは１０度分持ち上げられロックピン４３は上側の孔ｃに挿し込まれて回転ロックされた状態とされる。
【００１９】  尚、支持軸４１を中心にして外周側に他の２個の孔ｂ´、ｃ´を設けてそれらにも他のロックピン４３´が出し入れ可能とされるようにすれば角度規定がより安全確実に得られる。
固定受板６に開けられた孔ａはケーシング１０が水平のときに角度調節板８側から差し込まれるロックピン４３の孔であり、孔ａ´はその補助孔である。
【符号の説明】
【００２０】  １…外壁  ３…取付ブラケット  １０…ケーシング  １５…進退用開通口  ２０…回転駆動手段  ２２…駆動ホイール  ２３…従動ホイール  ２５…周回駆動材  ２７…ガイドバー  ３０…旗類  ３１…先行側連結具  ３２…後行側連結具。
【図１】
0003220838.tif 000003
【図２】
0003220838.tif 000004
【図３】
0003220838.tif 000005
【図４】
0003220838.tif 000006
【図５】
0003220838.tif 000007
【図６】
0003220838.tif 000008
【図７】
0003220838.tif 000009
【手続補正書】
【提出日】平成31年1月16日(2019.1.16)
【手続補正１】
【補正対象書類名】実用新案登録請求の範囲
【補正対象項目名】全文
【補正方法】変更
【補正の内容】
【実用新案登録請求の範囲】
【請求項１】
取付対象個所に固定される取付ブラケットと、この取付ブラケットの前側に水平あるいは斜め持ち上げ状をなして突設されるとともにその周部底面に進退用開通口が形成されている筒状のケーシングと、このケーシング内の基部側と先端側に設けられた駆動ホイールと従動ホイールの２つのホイールと、両ホイール回りに掛け回されその下回りが前後に進退可能とされた周回駆動材と、ケーシング内において前記周回駆動材の下回りに添う形で設けられたガイドバーと、上端基部のケーシング先側に相当する部位が先行側連結具を介して前記周回駆動材に連結され上端基部のケーシング基部側に相当する部位が後行側連結具を介して前記ガイドバーに沿って進退自在とされるべく掛装されて垂下された旗類と、前記駆動ホイールを一定のストロークをもって往復回転可能とする回転駆動手段と、取付対象個所の前面に固定されて取付ブラケットとケーシング基部と該ケーシング基部側に波状に折り畳まれて戻される旗類とを同時に外包し得る基部カバーとからなる片持式旗類掲納装置。
【請求項２】
請求項１に記載の片持式旗類掲納装置において、ケーシングは水平姿勢と斜め持ち上げ姿勢とに角度変更自在となっている片持式旗類掲納装置。